(57)【要約】【課題】内部で発生した音の周囲への漏洩を抑制することができるブースパネルを提供する。【解決手段】天板１２の上の執務領域１３を囲うブースパネル１Ａにおいて、天板１２の上に立設し執務領域１３を介して使用者の正面に配置される板状の正面部材２と、天板１２の上に立設し正面部材２の両側縁部のそれぞれと接続され執務領域１３の両側方に配置される板状の第１側面部材３および第２側面部材４（一対の側面部材）と、正面部材２の上縁部と接続され執務領域１３の少なくとも一部の領域の上方に配置される上面部材５と、を有する。【選択図】図１
2017213265.tif 000002
【特許請求の範囲】
【請求項１】
天板の上の執務領域を囲うブースパネルにおいて、
前記天板の上に立設し前記執務領域を介して使用者の正面に配置される板状の正面部材と、
前記天板の上に立設し前記正面部材の両側縁部のそれぞれと接続され前記執務領域の両側方に配置される板状の一対の側面部材と、
前記正面部材の上縁部と接続され前記執務領域の少なくとも一部の領域の上方に配置される上面部材と、を有することを特徴とするブースパネル。
【請求項２】
前記一対の側面部材および前記上面部材は、それぞれ前記正面部材と屈曲可能に接続されていることを特徴とする請求項１に記載のブースパネル。
【請求項３】
前記一対の側面部材のそれぞれと前記上面部材とを連結する一対の連結部材を有することを特徴とする請求項２に記載のブースパネル。
【請求項４】
前記一対の連結部材は、前記上面部材に接続されていて、前記一対の側面部材に着脱可能であることを特徴とする請求項３に記載のブースパネル。
【請求項５】
前記一対の連結部材は、前記一対の側面部材に対して連結される位置を調整可能であることを特徴とする請求項４に記載のブースパネル。
【請求項６】
前記一対の連結部材は、板状に形成されていて、前記一対の側面部材と面接触して連結されることを特徴とする請求項４または５に記載のブースパネル。
【請求項７】
前記正面部材は、前記一対の側面部材よりも上縁部が低い位置に配置され、
前記上面部材は、前記正面部材と接続されている側から使用者側に向かって漸次上側に向かうように傾斜していることを特徴とする請求項１乃至５のいずれか１項に記載のブースパネル。
【請求項８】
前記一対の側面部材の上部側には、前記正面部材と接続されている側から使用者側に向かって漸次上側に向かうように傾斜する傾斜縁部が形成され、
前記上面部材は、前記傾斜縁部に載置されていることを特徴とする請求項７に記載のブースパネル。
【発明の詳細な説明】
【技術分野】
【０００１】
本発明は天板の上の執務領域を囲うブースパネルに関する。
【背景技術】
【０００２】
従来、机などの天板の上の執務領域を囲うように設置されて使用者の前方や側方の視界を遮蔽するブースパネルが知られている（例えば、特許文献１乃至３参照）。このようなブースパネルを使用することにより、使用者が勉強や読書などに集中しやすい環境をつくりだすことができる。
近年、テレビ会議システムが広く普及されている。複数人が使用する部屋において個人がテレビ会議を行う場合、ブースパネルを使用することでテレビ会議を行う使用者がテレビ会議に集中しやすい環境をつくりだすことができる。
【先行技術文献】
【特許文献】
【０００３】
【特許文献１】実開昭６３−２７１４５号公報
【特許文献２】実開昭６３−３３８６０号公報
【特許文献３】特開２００８−３０１９２５号公報
【発明の概要】
【発明が解決しようとする課題】
【０００４】
しかしながら、従来のブースパネルは、使用者の視界を遮ることはできても、テレビ会議における音声など執務領域から発生する発生音の周囲への漏洩を十分に抑制することができなかった。
【０００５】
そこで、本発明は、執務領域で発生した音の周囲への漏洩を抑制することができるブースパネルを提供することを目的とする。
【課題を解決するための手段】
【０００６】
上記目的を達成するため、本発明に係るブースパネルは、天板の上の執務領域を囲うブースパネルにおいて、前記天板の上に立設し前記執務領域を介して使用者の正面に配置される板状の正面部材と、前記天板の上に立設し前記正面部材の両側縁部のそれぞれと接続され前記執務領域の両側方に配置される板状の一対の側面部材と、前記正面部材の上縁部と接続され前記執務領域の少なくとも一部の領域の上方に配置される上面部材と、を有することを特徴とする。
【０００７】
本発明では、ブースパネルは、執務領域の少なくとも一部の領域の上方に配置される上面部材を有している。このため、ブースパネルの内部で発生した音に対して執務領域の側方、後方のみならずブースパネルの上方に伝播し漏洩することを抑制することができる。
【０００８】
また、本発明に係るブースパネルでは、前記一対の側面部材および前記上面部材は、それぞれ前記正面部材と屈曲可能に接続されていることが好ましい。
一対の側面部材および上面部材を正面部材と重なるように屈曲させることにより、ブースパネルが折りたたまれて小さくなるため、ブースパネルの運搬や保管を容易に行うことができる。
【０００９】
また、本発明に係るブースパネルでは、前記一対の側面部材のそれぞれと前記上面部材とを連結する一対の連結部材を有することが好ましい。
一対の連結部材を介して上面部材が一対の側面部材のそれぞれと接続されるため、正面部材、一対の側面部材および上面部材が一体となりブースパネルを安定した状態に維持することができる。
【００１０】
また、本発明に係るブースパネルでは、前記一対の連結部材は、前記上面部材に接続されていて、前記一対の側面部材に着脱可能であることが好ましい。
一対の連結部材を一対の側面部材から取り外すことで正面部材と一対の側面部材とを折り畳むことができ、ブースパネルの運搬や保管を容易に行うことができる。また、一対の連結部材が上面部材と接続しているため、一対の連結部材が上面部材と離間することなくブースパネルの運搬や保管を容易に行うことができる。
【００１１】
また、本発明に係るブースパネルでは、前記一対の連結部材は、前記一対の側面部材に対して連結される位置を調整可能であることが好ましい。
上面部材と正面部材との屈曲具合および正面部材と一対の側面部材との屈曲具合の少なくとも一方が変わり、上面部材と側面部材との相対位置が変わったとしても連結部材を側面部材に連結することができる。このため、正面部材に対する上面部材の角度を調整したり、正面部材に対する一対の側面部材の角度を調整したりして、ブースパネルの形状を調整することができる。
その結果、執務領域の用途や使用者、執務領域に設置される機器類などに合せて上面部材や一対の側面部材の角度を調整することができる。
【００１２】
また、本発明に係るブースパネルでは、前記一対の連結部材は、板状に形成されていて、前記一対の側面部材と面接触して連結されることが好ましい。
一対の連結部材が一対の側面部材と面接触して連結されることにより、一対の連結部材と一対の側面部材とが確実に連結されるため、ブースパネルを安定した状態に維持することができる。
【００１３】
また、本発明に係るブースパネルでは、前記正面部材は、前記一対の側面部材よりも上縁部が低い位置に配置され、前記上面部材は、前記正面部材と接続されている側から使用者側に向かって漸次上側に向かうように傾斜していることが好ましい。
このような構成とすることにより、正面部材の後方の上部空間をあけることができ、正面部材の後方の上部空間に照明器具や棚などが設けられている場合でも、これらとブースパネルとが干渉することを防止できる。
また、正面部材が一対の側面部材と同じ高さに形成され、上面部材が略水平に配置される場合と比べて、正面部材の大きさを小さくすることができるため、ブースパネルを折り畳み可能な場合に折り畳んだ形状を小さくすることができる。
【００１４】
また、本発明に係るブースパネルでは、前記一対の側面部材の上部側には、前記正面部材と接続されている側から使用者側に向かって漸次上側に向かうように傾斜する傾斜縁部が形成され、前記上面部材は、前記傾斜縁部に載置されていることが好ましい。
このような構成とすることにより、上面部材が一対の側面部材に載置された状態で支持されるため、上面部材を安定した状態に維持することができる。
【発明の効果】
【００１５】
本発明によれば、ブースパネルの内部で発生した音の周囲への漏洩を抑制することができる。
【図面の簡単な説明】
【００１６】
【図１】（ａ）は本発明の第１実施形態によるブースパネルを前側から見た斜視図、（ｂ）は本発明の第１実施形態によるブースパネルを後側から見た斜視図である。
【図２】図１のブースパネルの各部材を広げた様子を示す図である。
【図３】図１のブースパネルの各部材を重ねるよう折り畳んだ様子を示す図である。
【図４】（ａ）は本発明の第２実施形態によるブースパネルを前側から見た斜視図、（ｂ）は本発明の第２１実施形態によるブースパネルを後側から見た斜視図である。
【図５】（ａ）は本発明の第３実施形態によるブースパネルを前側から見た斜視図、（ｂ）は本発明の第３実施形態によるブースパネルを後側から見た斜視図である。
【図６】（ａ）は本発明の第４実施形態によるブースパネルを前側から見た斜視図、（ｂ）は（ａ）のＡ−Ａ線断面図である。
【図７】本発明の実施の形態の変形例を示す図である。
【図８】本発明の実施の形態の他の変形例を示す図である。
【図９】本発明の実施の形態の更に他の変形例を示す図である。
【発明を実施するための形態】
【００１７】
（第１実施形態）
以下、本発明の第１実施形態によるブースパネルについて、図１乃至図３に基づいて説明する。
図１に示すように、第１実施形態によるブースパネル１Ａは、机１１の天板１２の上の執務領域１３を囲うように設置される。本実施形態では、執務領域１３にパソコン等の電子機器１４が配置されていて、机１１と対向する使用者（不図示）が電子機器１４を使用してテレビ会議を行うことが可能となっている。
机１１と使用者とを結ぶ方向を前後方向とし、机１１に対する使用者側を前側、使用者に対する机１１側を後側とする。また、前後方向に直交する水平方向を左右方向とする。
また、本実施形態によるブースパネル１Ａは、折り畳み可能に構成されていて、図２に示すように、後述する各部材が面一となるように展開された状態や、各部材が重なった折り畳まれた状態にすることができる。
【００１８】
図１および図２に示すように、ブースパネル１Ａは、使用時に天板１２（図１参照）の上に立設して執務領域１３（図１参照）の後側に配置される正面部材２と、正面部材２と接続され使用時に天板１２の上に立設して執務領域１３の左側に配置される第１側面部材（側面部材）３と、正面部材２と接続され使用時に天板１２の上に立設して執務領域１３の右側に配置される第２側面部材（側面部材）４と、正面部材２と接続され使用時に執務領域１３の上側に配置される上面部材５と、第１側面部材３と上面部材５とを連結する第１連結部材（連結部材）６と、第２側面部材４と上面部材５とを連結する第２連結部材（連結部材）７と、を有している。本実施形態では、ブースパネル１Ａは、執務領域１３を囲うように設置されると、高さ寸法が３５０ｍｍ〜５５０ｍｍ程の高さとなるように設定されている。
【００１９】
正面部材２は、板面が長方形となる平板状に形成されている。正面部材２は、使用時に板面が前後方向を向くように天板１２の上に立設される。
正面部材２の周縁部のうち、天板１２の上に立設した際に天板１２と当接して左右方向に延びる部分を下縁部２１、下縁部２１の左側の端部から鉛直方向上側に延びる部分を第１側縁部２２、下縁部２１の右側の端部から鉛直方向上側に延びる部分を第２側縁部２３、第１側縁部２２と第２側縁部２３とを結び左右方向に延びる部分を上縁部２４とする。
【００２０】
正面部材２は、例えば、プラスチック製の段ボールなどで形成された平板状の芯材２５と、芯材の表面を覆う布などの表皮材２６と、を有している。
芯材２５は、プラスチック製の段ボールで形成されていると、ブースパネル１Ａの軽量化を図ることができるとともに、ブースパネル１Ａの吸音性および耐久性を向上させることができる。
表皮材２６は、芯材２５から取り外せないように芯材２５に固定されていてもよいし、芯材２５に着脱可能に構成されていてもよい。表皮材２６が芯材２５に着脱可能な場合は、例えば、表皮材２６が芯材２５を出し入れ可能な開口を有する袋状に形成され、開口にファスナが設けられている形態としてもよい。
【００２１】
第１側面部材３は、板面が長方形の対角線上に配置された一対の角部が隅切りされた六角形の平板状に形成されている。第１側面部材３は、使用時に後側から前側に向かって漸次左側に向かう第１斜め方向Ａ１に沿い、板面が鉛直面となるように天板１２の上に立設される。このとき、第１側面部材３の隅切りされた部分は、後側の上側、および前側の下側に配置されている。
【００２２】
第１側面部材３の周縁部のうち、天板１２の上に立設した際に天板１２と当接して第１斜め方向Ａ１に延びる部分を下縁部３１、下縁部３１の後側の端部から鉛直方向上側に延びる部分を第１側縁部３２、第１側縁部３２の上端部から第１斜め方向Ａ１の前側に向かって漸次上側に延びる部分を第１傾斜縁部３３、下縁部３１の前側の端部から第１斜め方向Ａ１の前側に向かって漸次上側に延びる部分を第２傾斜縁部３４、第２傾斜縁部３４の上端部から鉛直方向上側に延びる部分を第２側縁部３５、第１傾斜縁部３３の上端部と第２側縁部３５の上端部とを結び第１斜め方向Ａ１に延びる部分を上縁部３６とする。
【００２３】
第１側面部材３は、正面部材２と同様に、例えば、プラスチック製の段ボールなどで形成された平板状の芯材３７と、芯材の表面を覆う布などの表皮材３８と、を有している。
表皮材３８は、芯材３７から取り外せないように芯材３７に固定されていてもよいし、芯材３７に着脱可能に構成されていてもよい。表皮材３８が芯材３７に着脱可能な場合は、例えば、表皮材３８が芯材３７を出し入れ可能な開口を有する袋状に形成され、開口にファスナが設けられている形態としてもよい。
【００２４】
第１側面部材３には、第１傾斜縁部３３の近傍に、第１連結部材６に設けられた第１係合部６４と係合可能な第２係合部３９が設けられている。第１係合部６４および第２係合部３９は、例えば、互いに係合可能なスナップボタンなどで、第１側面部材３と第１連結部材６とが着脱できるように構成されている。
【００２５】
第１側面部材３は、第１側縁部３２が正面部材２の第１側縁部２２と第１接続部材８１を介して対向するように正面部材２と接続されている。第１接続部材８１は、正面部材２の第１側縁部２２および第１側面部材３の第１側縁部３２に沿って延びる帯状の布などで構成されている。
正面部材２と第１側面部材３とは、第１接続部材８１を折り目として所望の角度をなすように屈曲可能に構成されている。正面部材２と第１側面部材３とは、図１に示すように使用時には所定の角度をなすようにして天板１２の上に配置され、図３に示すように運搬時や保管時には互いを重ねあわせるようにして折り畳まれている。
【００２６】
正面部材２の第１側縁部２２と第１側面部材３の第１側縁部３２とは、略同じ長さに形成され、互いの長さ方向の端部どうしがそれぞれ対向するように接続されている。このため、使用時には第１側面部材３の第１側縁部３２の上端部よりも上側の部分が、正面部材２の上縁部２４よりも上側に配置されている。
【００２７】
第２側面部材４は、使用時に第１側面部材３と左右対称となるように形成され、後側から前側に向かって漸次右側に向かう第２斜め方向Ａ２に沿い、板面が鉛直面となるように天板１２の上に立設される。
第２側面部材４の周縁部のうち、第１側面部材３の下縁部３１に対応する部分を下縁部４１、第１側面部材３の第１側縁部３２に対応する部分を第１側縁部４２、第１側面部材３の第１傾斜縁部３３に対応する部分を第１傾斜縁部４３、第１側面部材３の第２傾斜縁部３４に対応する部分を第２傾斜縁部４４、第１側面部材３の第２側縁部３５に対応する部分を第２側縁部４５、第１側面部材３の上縁部３６に対応する部分を上縁部４６、とする。
【００２８】
第２側面部材４は、第１側面部材３と同様に、例えば、プラスチック製の段ボールなどで形成された平板状の芯材４７と、芯材の表面を覆う布などの表皮材４８と、を有している。
【００２９】
第２側面部材４には、第１傾斜縁部４３の近傍に、第２連結部材７に設けられた第１係合部７４と係合可能な第２係合部４９が設けられている。第１係合部７４および第２係合部４９は、例えば、互いに係合可能なスナップボタンなどで構成され、第２側面部材４と第２連結部材７とが着脱できるように構成されている。
第１側面部材３および第２側面部材４の前側の隅切り部分は、例えば、意匠性を向上させるために設けられている。
【００３０】
正面部材２は、第１側縁部４２が正面部材２の第２側縁部２３と第２接続部材８２を介して対向するように正面部材２と接続されている。第２接続部材８２は、正面部材２の第２側縁部２３および第２側面部材４の第１側縁部４２に沿って延びる帯状の布などで構成されている。
正面部材２と第２側面部材４とは、第２接続部材８２を折り目として所望の角度をなすように屈曲可能に構成されている。正面部材２と第２側面部材４とは、図１に示すように使用時には所定の角度をなすようにして天板１２の上に配置され、図３に示すように運搬時や保管時には互いを重ねあわせるようにして折り畳まれている。
【００３１】
正面部材２の第２側縁部２３と第２側面部材４の第１側縁部４２とは、略同じ長さに形成され、互いの長さ方向の端部どうしがそれぞれ対向するように接続されている。このため、使用時には第２側面部材４の第１側縁部４２の上端部よりも上側の部分が、正面部材２の上縁部２４よりも上側に配置されている。
【００３２】
上面部材５は、板面が台形の平板状に形成されている。上面部材５は、使用時に正面部材２の上縁部２４、第１側面部材３の第１傾斜縁部３３および第２側面部材４の第１傾斜縁部４３の上に載置された状態となり、前側に向かって漸次上側に向かうように傾斜している。
上面部材５の周縁部のうち、板面の台形の底辺に対応する部分を下縁部５１、上辺に対応する部分を上縁部５２、斜辺に対応する部分を第１傾斜縁部５３および第２傾斜縁部５４とする。下縁部５１は、使用時に正面部材２の上縁部２４に沿って配置され、上縁部５２よりも短く形成されている。
【００３３】
上面部材５は、正面部材２、第１側面部材３および第２側面部材４と同様に、例えば、プラスチック製の段ボールなどで形成された平板状の芯材５５と、芯材５５の表面を覆う布などの表皮材５６と、を有している。
表皮材５６は、芯材５５に対して固定されていてもよいし、芯材５５に着脱可能に構成されていてもよい。表皮材５６が芯材５５に着脱可能な場合は、例えば、表皮材５６が芯材５５を出し入れ可能な開口を有する袋状に形成され、開口にファスナが設けられている形態としてもよい。
【００３４】
上面部材５は、下縁部５１が正面部材２の上縁部２４と第３接続部材８３を介して対向するように正面部材２と接続されている。第３接続部材８３は、正面部材２の上縁部２４および上面部材５の下縁部５１に沿って延びる帯状の布などで構成されている。
正面部材２と上面部材５とは、第３接続部材８３を折り目として所望の角度をなすように屈曲可能に構成されている。正面部材２と上面部材５とは、使用時には所定の角度をなし、運搬時や保管時にはそれぞれの板面が面一となっている。
【００３５】
上面部材５は、使用時に第１側面部材３の第１傾斜縁部３３および第２側面部材４の第１傾斜縁部４３に載置された状態となると、上面部材５の第１傾斜縁部５３が第１側面部材３の第１傾斜縁部３３に上側から重なり、上面部材５の第２傾斜縁部５４が第２側面部材４の第１傾斜縁部３３に上側から重なり、上面部材５の上縁部５２が第１側面部材３の上縁部３６および第２側面部材４の上縁部４６の高さに配置される。
【００３６】
第１連結部材６は、板面が三角形状の平板に形成されている。第１連結部材６の周縁部のうち、板面の三角形の第１の辺に対応する部分を第１縁部６１とし、第２の辺に対応する部分を第２縁部６２とし、第３の辺に対応する部分を第３縁部６３とする。
第１連結部材６は、第１縁部６１が上面部材５の第１傾斜縁部５３と第４接続部材８４を介して対向するように接続され、第１縁部６１と第２縁部６２との接続部が上面部材５の第１傾斜縁部５３の下端部近傍に配置され、第１縁部６１と第３縁部６３との接続部が上面部材５の第１傾斜縁部５３の上端部近傍に配置されている。
【００３７】
第４接続部材８４は、第１連結部材６の第１縁部６１および上面部材５の第１傾斜縁部５３に沿って延びる帯状の布などで構成されている。第１連結部材６と上面部材５とは、第４接続部材８４を折り目として所望の角度をなすように屈曲可能に構成されている。
第１連結部材６には、第１側面部材３に設けられた第２係合部３９と係合可能な第１係合部６４が設けられている。
【００３８】
第２連結部材７は、使用時に第１連結部材６と左右対称となるように形成されていて、板面が略三角形状の平板に形成されている。図２に示すように、第２連結部材７の周縁部のうち、板面の三角形の第１の辺に対応する部分を第１縁部７１とし、第２の辺に対応する部分を第２縁部７２とし、第３の辺に対応する部分を第３縁部７３とする。
第２連結部材７は、第１縁部７１が上面部材５の第２傾斜縁部５４と第５接続部材８５を介して対向するように接続され、第１縁部７１と第２縁部７２との接続部が上面部材５の第２傾斜縁部５４の下端部近傍に配置され、第１縁部７１と第３縁部７３との接続部が上面部材５の第２傾斜縁部５４の上端部近傍に配置されている。
【００３９】
第５接続部材８５は、第２連結部材７の第１縁部７１および上面部材５の第２傾斜縁部５４に沿って延びる帯状の布などで構成されている。第２連結部材７と上面部材５とは、第５接続部材８５を折り目として所望の角度をなすように屈曲可能に構成されている。
第２連結部材７には、第２側面部材４に設けられた第２係合部４９と係合可能な第１係合部７４が設けられている。
【００４０】
このようなブースパネル１Ａで執務領域１３を囲う場合には、まず、正面部材２、第１側面部材３、および第２側面部材４を天板１２に立設させる。このとき、正面部材２を執務領域１３の後側において板面が前後方向を向くように配置し、第１側面部材３を執務領域１３の右側において第１斜め方向Ａ１に沿って配置し、第２側面部材４を執務領域１３の左側において第２斜め方向Ａ２に沿って配置する。
【００４１】
続いて、上面部材５を第１側面部材３の第１傾斜縁部３３および第２側面部材４の第１傾斜縁部４３に沿うように配置する。これにより、上面部材５が後側から前側に向かって漸次上側に向かうように傾斜した姿勢で、執務領域１３の後部側の上側を覆う。
【００４２】
続いて、第１連結部材６を第１側面部材３の上側から下側に折り曲げて第１側面部材３の外側の面と面接触させ、第１連結部材６の第１係合部６４と第１側面部材３の第２係合部３９とを係合させる。また、第２連結部材７を第２側面部材４の上側から下側に折り曲げて第２側面部材４の外側の面と面接触させ、第２連結部材７の第１係合部７４と第２側面部材４の第２係合部４９とを係合させる。これにより、第１連結部材６および第２連結部材７を介して上面部材５が第１側面部材３および第２側面部材４と連結されて、ブースパネル１Ａが組み立てられる。
【００４３】
組み立てられたブースパネル１Ａを折り畳む場合には、まず、第１連結部材６の第１係合部６４と第１側面部材３の第２係合部３９との係合を解除するとともに、第２連結部材７の第１係合部７４と第２側面部材４の第２係合部４９との係合を解除して、上面部材５を第１側面部材３および第２側面部材４から外す。
【００４４】
続いて、図３に示すように、第１側面部材３および第２側面部材４を正面部材２と重なるように第１接続部材８１および第２接続部材８２を折り目として折り畳む。本実施形態では、第１側面部材３が正面部材２の一方の面と当接し、第２側面部材４が正面部材２の他方の面と当接するように第１側面部材３および第２側面部材４を折り畳む。
なお、上面部材５は、正面部材２と面一の姿勢としてもよいし、第３接続部材８３を折り目として正面部材２と重なるように折り畳んでもよい。このようにしてブースパネル１Ａが折り畳まれる。
【００４５】
次に、上述した第１実施形態におけるブースパネル１Ａの作用・効果について図面を用いて説明する。
上述した本実施形態によるブースパネル１Ａでは、執務領域１３の後部側の上方に上面部材５が配置されることにより、ブースパネル１Ａの内部で発生した音が執務領域１３の側方及び後方のみならず上方に伝播し漏洩することを抑制することができる。
【００４６】
また、第１側面部材３、第２側面部材４および上面部材５は、それぞれ正面部材２と屈曲可能に接続されていることにより、第１側面部材３、第２側面部材４および上面部材５を正面部材２と重なるように屈曲させて折り畳むことができる。その結果、ブースパネル１Ａをコンパクトな形状とすることができるため、ブースパネル１Ａの運搬や保管を容易に行うことができる。
また、上面部材５が第１連結部材６および第２連結部材７を介して第１側面部材３および第２側面部材４と接続されることにより、正面部材２、第１側面部材３、第２側面部材４および上面部材５が一体となるため、ブースパネル１Ａを安定した状態に維持することができる。また、正面部材２、第１側面部材３、第２側面部材４および上面部材５が一体となるため、組み立てられたブースパネル１Ａが変形することを防止できる。
【００４７】
また、第１連結部材６および第２連結部材７が上面部材５と接続されて、上面部材５と一体化しているため、第１連結部材６および第２連結部材７が上面部材５と離間することがなく、ブースパネル１Ａの運搬や保管を容易に行うことができる。
【００４８】
また、第１連結部材６および第２連結部材７は、板状に形成されていて、それぞれ第１側面部材３および第２側面部材４と面接触して連結されることにより、第１連結部材６と第１側面部材３とが安定した状態で連結されるとともに、第２連結部材７と第２側面部材４とが安定した状態で連結されるため、ブースパネル１Ａを安定した状態に維持することができる。
【００４９】
また、正面部材２は、第１側面部材３および第２側面部材４よりも上縁部が低い位置に配置され、上面部材５は、正面部材２と接続されている側から使用者側に向かって漸次上側に向かうように傾斜していることにより、正面部材２の後方の上部空間をあけることができ、正面部材２の後方の上部空間に照明器具や棚などが設けられている場合でも、これらとブースパネル１Ａとが干渉することを防止できる。
また、正面部材２が第１側面部材３および第２側面部材４と同じ高さに形成され、上面部材５が略水平に配置される場合と比べて、正面部材２の大きさを小さくすることができるため、ブースパネル１Ａを折り畳んだ場合の形状を小さくすることができる。
【００５０】
また、本発明に係るブースパネル１Ａでは、上面部材５は、第１側面部材３の第１傾斜縁部３３および第２側面部材４の第１傾斜縁部４３に載置されて、第１側面部材３、第２側面部材４に支持されているため、上面部材５を安定した状態に維持することができる。
【００５１】
（第２実施形態）
次に、他の実施形態について、添付図面に基づいて説明するが、上述の第１実施形態と同一又は同様な部材、部分には同一の符号を用いて説明を省略し、第１実施形態と異なる構成について説明する。
図４に示すように、第２実施形態によるブースパネル１Ｂは、第１側面部材３Ｂに２つの第２係合部３９ａ，３９ｂが設けられ、第２側面部材４Ｂに２つの第２係合部４９ａ，４９ｂが設けられている。
【００５２】
第１側面部材３Ｂの２つの第２係合部３９ａ，３９ｂは、いずれも第１連結部材６の第１係合部６４と係合可能に構成され、一方の第２係合部３９ａが他方の第２係合部３９ｂよりも第１側面部材３Ｂの第１傾斜縁部３３に近い位置に設けられている。
第２側面部材４Ｂの２つの第２係合部４９ａ，４９ｂは、いずれも第２連結部材７の第１係合部７４と係合可能に構成され、一方の第２係合部４９ａが他方の第２係合部４９ｂよりも第２側面部材４Ｂの第１傾斜縁部４３から遠い位置に設けられている。
【００５３】
第１連結部材６の第１係合部６４が第１側面部材３Ｂの一方の第２係合部３９ａと係合し、第２連結部材７の第１係合部７４が第２側面部材４Ｂの一方の第２係合部４９ａと係合した場合、上面部材５は、第１実施形態と同様に、第１側面部材３Ｂの第１傾斜縁部３３および第２側面部材４Ｂの第１傾斜縁部４３と当接する。このとき、上面部材５の上縁部５２は、第１側面部材３Ｂの上縁部３６および第２側面部材４Ｂの上縁部４６と略同じ高さに配置される。
【００５４】
これに対し、第１連結部材６の第１係合部６４が第１側面部材３Ｂの他方の第２係合部３９ｂと係合し、第２連結部材７の第１係合部７４が第２側面部材４Ｂの他方の第２係合部４９ｂと係合した場合、上面部材５は、第１側面部材３Ｂの第１傾斜縁部３３および第２側面部材４Ｂの第１傾斜縁部４３と離間して、上記の場合よりも起立した状態となる。これにより、上面部材５の上縁部５２は、第１側面部材３Ｂの上縁部３６および第２側面部材４Ｂの上縁部４６よりも上側に配置される。
【００５５】
第２実施形態によるブースパネル１Ｂでは、第１連結部材６の第１係合部６４を第１側面部材３Ｂの第２係合部３９ａ，３９ｂのどちらと係合させるかを選択するとともに、第２連結部材７の第１係合部７４を第２側面部材４Ｂの第２係合部４９ａ，４９ｂのどちらと係合させるかを選択することによって、正面部材２に対する上面部材５の角度を調整することができる。これにより、執務領域１３の用途や使用者、執務領域１３に設置される機器類などに合せて上面部材５の角度を調整することができる。
【００５６】
（第３実施形態）
図５示すように、第３実施形態によるブースパネル１Ｃは、第２実施形態と同様に第１側面部材３Ｃに２つの第２係合部３９ａ，３９ｂが設けられ、第２側面部材４Ｃに２つの第２係合部４９ａ，４９ｂが設けられている。
また、第３実施形態では、第１連結部材６Ｃに第１連結部材６Ｃを折り曲げ可能な折り曲げ線６５が設けられていて、第２連結部材７Ｃに第２連結部材７Ｃを折り曲げ可能な折り曲げ線７５が設けられている。
【００５７】
第１連結部材６Ｃの折り曲げ線６５は、第１連結部材６Ｃの第１縁部６１と第２縁部６２の接続部から第３縁部６３の中間部まで延びる直線状に設けられている。
第２連結部材７Ｃの折り曲げ線７５は、第２連結部材７Ｃの第１縁部７１と第２縁部７２の接続部から第３縁部７３の中間部まで延びる直線状に設けられている。
【００５８】
第１連結部材６Ｃが折り曲げ線６５で折り曲げられずに、第１連結部材６Ｃの第１係合部６４が第１側面部材３Ｃの一方の第２係合部３９ａと係合し、第２連結部材７Ｃが折り曲げ線７５で折り曲げられずに、第２連結部材７Ｃの第１係合部７４が第２側面部材４Ｃの一方の第２係合部４９ａと係合した場合、上面部材５は、第１実施形態と同様に、第１側面部材３Ｃの第１傾斜縁部３３および第２側面部材４Ｃの第１傾斜縁部４３と当接する。このとき、上面部材５の第１傾斜縁部５３は第１側面部材３Ｃの第１傾斜縁部３３と重なり、上面部材５の第２傾斜縁部５４は第２側面部材４Ｃの第１傾斜縁部４３と重なっている。
【００５９】
これに対し、第１連結部材６Ｃが折り曲げ線６５で折り曲げられて、第１連結部材６Ｃの第１係合部６４が第１側面部材３Ｃの他方の第２係合部３９ｂと係合し、第２連結部材７Ｃが折り曲げ線７５で折り曲げられて、第２連結部材７Ｃの第１係合部７４が第２側面部材４Ｃの他方の第２係合部４９ｂと係合した場合、上面部材５は、上記の場合と比べて第１側面部材３Ｃおよび第２側面部材４Ｃと水平方向に離間する。その結果、上記の場合と比べて第１側面部材３Ｃおよび第２側面部材４Ｃそれぞれと正面部材２とがなす角度が大きくなり、執務領域１３が広く確保される。
【００６０】
第３実施形態によるブースパネル１Ｃでは、第１連結部材６Ｃの第１係合部６４を第１側面部材３Ｃの第２係合部３９ａ，３９ｂのどちらと係合させるかを選択するとともに、第２連結部材７Ｃの第１係合部７４を第２側面部材４Ｃの第２係合部４９ａ，４９ｂのどちらと係合させるかを選択することによって、正面部材２と第１側面部材３Ｃとがなす角度、および正面部材２と第２側面部材４Ｃとがなす角度を調整することができ、執務空間の形状を調整することができる。これにより、執務領域１３の用途や使用者、執務領域１３に設置される機器類などに合せて執務領域１３の形状を調整することができる。
【００６１】
（第４実施形態）
図６に示すように、第４実施形態によるブースパネル１Ｄは、第１連結部材６Ｄに上記実施形態の第１係合部６４の代わりに、第１側面部材３Ｄに第１傾斜縁部３３の上側から嵌めこみ可能な係合凹部６６が形成され、第１側面部材３に上記の実施形態のような第２係合部３９が設けられていない。係合凹部６６は、第１側面部材３Ｄに嵌めこまれると第１側面部材３Ｄの第１傾斜縁部３３の近傍を両側から挟み込みこみ、第１側面部材３Ｄと係合するように構成されている。
また、第４実施形態によるブースパネル１Ｄは、第２連結部材７Ｄに上記実施形態の第１係合部７４の代わりに、第２側面部材４Ｄに第１傾斜縁部４３の上側から嵌めこみ可能な係合凹部７６が形成され、第２側面部材４Ｄに上記の実施形態のような第２係合部４９が設けられていない。係合凹部７６は、第２側面部材４Ｄに嵌めこまれると第２側面部材４Ｄの第１傾斜縁部４３の近傍を両側から挟み込みこみ、第２側面部材４Ｄと係合するように構成されている。
【００６２】
第４実施形態によるブースパネル１Ｄによれば、第１連結部材６Ｄに設けられた係合凹部６６を第１側面部材３Ｄに嵌めこむとともに、第２連結部材７Ｄに設けられた係合凹部７６を第２側面部材４Ｄに嵌め込むことにより、第１連結部材６Ｄおよび第２連結部材７Ｄが第１側面部材３Ｄおよび第２側面部材４Ｄと係合し、第１連結部材６Ｄおよび第２連結部材７Ｄを介して上面部材５を第１側面部材３Ｄおよび第２側面部材４Ｄに容易に連結することができる。
【００６３】
以上、本発明によるブースパネルの実施形態について説明したが、本発明は上記の実施形態に限定されるものではなく、その趣旨を逸脱しない範囲で適宜変更可能である。
例えば、上記の実施形態では、第１側面部材３、第２側面部材４および上面部材５は、それぞれ正面部材２と屈曲可能に接続され、正面部材２と重なるように折り畳み可能であるが、折り畳めずに正面部材２と固定された形態であってもよい。また、正面部材２、第１側面部材３、第２側面部材４、および上面部材５は、使用時のみ接続されていて、不使用時には分解できるように構成されていてもよい。
【００６４】
また、上記の実施形態では、第１連結部材６および第２連結部材７は、平板状に形成されているが、平板状以外の形態であってもよい。例えば、図７に示すブースパネル１Ｅのように、第１連結部材６が第１側面部材３と上面部材５とを着脱可能なファスナ９１で構成され、第２連結部材７が第２側面部材４と上面部材５とを着脱可能なファスナ９２で構成されていてもよい。
【００６５】
また、上記の実施形態では、第１連結部材６および第２連結部材７が設けられているが、設けられていなくてもよい。例えば、図８に示すブースパネル１Ｆのように、第１連結部材６および第２連結部材７が設けられておらず、上面部材５が第１側面部材３の第１傾斜縁部３３、および第２側面部材４の第１傾斜縁部４３の上に載置された状態、第１側面部材３および第２側面部材４に支持されていてもよい。また、このような場合、上面部材５に第１側面部材３の第１傾斜縁部３３近傍、および第２側面部材４の第１傾斜縁部４３近傍が入り込むことが可能な溝部が形成されていて、上面部材５と第１側面部材３および第２側面部材４との位置ずれを防止するように構成されていてもよい。
【００６６】
また上記の実施形態では、正面部材２は、第１側面部材３および第２側面部材４よりも低くなるように形成され、上面部材５が傾斜して配置されているが、正面部材２と第１側面部材３および第２側面部材４とが同じ高さに形成され、上面部材５が正面部材２、第１側面部材３および第２側面部材４の上部に水平に配置されていてもよい。
また、上記の実施形態では、正面部材２、第１側面部材３および第２側面部材４は、それぞれ平板状に形成されているが、湾曲した板状に形成されていてもよい。また、図９に示すブースパネル１Ｇのように、正面部材２、第１側面部材３および第２側面部材４が一体に形成され、１つの円弧板状の部材で構成されていてもよい。このような場合は、執務領域１３の後側に配置される部分が正面部材２となり、執務領域１３の左側に配置される部分が第１側面部材３となり、執務領域１３の右側に配置される部分が第２側面部材４となる。
【００６７】
また、上記の実施形態では、上面部材５は、執務領域１３の後部側の上部のみに設けられているが、執務領域１３の上部全体や、執務領域１３の上部のうちの複数の箇所に上面部材５が設けられていてもよい。また、上面部材５の形状は適宜設定されてよく、第１側面部材２や第２側面部材３と連続するように設けられていてもよい。
また、上記の実施形態では、執務領域１３にパソコン等の電子機器１４が配置されていて、机１１と対向する使用者が電子機器１４を使用してテレビ会議を行うように構成されているが、執務領域１３は、テレビ会議以外に使用されてもよい。また、ブースパネル１Ａ〜１Ｇは、棚や照明などを取り付け可能に構成されていてもよいし、電子機器１４の配線を挿通させる孔部や切欠き部が設けられていてもよい。
【符号の説明】
【００６８】
１Ａ〜１Ｇ  ブースパネル
２  正面部材
３，３Ｂ〜３Ｄ  第１側面部材（側面部材）
４，４Ｂ〜４Ｄ  第２側面部材（側面部材）
５  上面部材
６，６Ｃ，６Ｄ  第１連結部材（連結部材）
７，７Ｃ，７Ｄ  第２連結部材（連結部材）
１２  天板
１３  執務領域
２４  上縁部
２２  第１側縁部（側縁部）
２３  第２側縁部（側縁部）
３５  第１傾斜縁部（傾斜縁部）
４５  第１傾斜縁部（傾斜縁部）
【図１】
2017213265.tif 000003
【図２】
2017213265.tif 000004
【図３】
2017213265.tif 000005
【図４】
2017213265.tif 000006
【図５】
2017213265.tif 000007
【図６】
2017213265.tif 000008
【図７】
2017213265.tif 000009
【図８】
2017213265.tif 000010
【図９】
2017213265.tif 000011